(57)【特許請求の範囲】
【請求項１】
一側に開口する挿入口を備えた袋状に形成される収容ポケットの肌着本体への当接面を挿入口に沿って縫いつけ、前記収容ポケットを肌着本体への縫いつけ部を中心に反転姿勢まで回転自在に固定してなり、
収容ポケットに物品を収容した後、縫いつけ部を中心に回転させて挿入口を閉塞し、物品の脱落を防止し、
かつ、前記収容ポケットの閉塞辺の上端には布製の舌片が縫いつけられて前記当接面の反対面側にスナップが固定されるとともに、前記肌着本体には、前記スナップとの連結解除操作自在な連結により前記縫いつけ部によって肌着本体に固定された収容ポケットを縫いつけ部近傍で折り曲げて挿入口が閉塞された反転姿勢に保持する他のスナップが固定される収容ポケット付下着。
【発明の詳細な説明】
【０００１】
【発明の属する技術分野】
本発明は収容ポケット付下着に関するものである。
【０００２】
【従来の技術】
従来、パスポート等を携帯するために専用のポーチ等が提案されている。しかし、これらは衣服着用後、あるいは衣服着用時に別途装着するのであり、装着が面倒である上に、装着忘れ等のおそれがある。また、事件に巻き込まれた際には、容易に略取されやすく安全性にも欠ける。
【０００３】
一方、パスポートは、旅行中においては、頻繁に使用するものではないが、常時携帯しておくことが義務づけられる場合が多く、携帯の失念を防止することができ、かつ、安全な携帯方法が求められる。
【０００４】
【発明が解決しようとする課題】
本発明は、以上の欠点を解消すべくなされたものであって、パスポート等の貴重品を携帯し忘れることなく、かつ、安全に携帯可能な収容ポケット付下着の提供を目的とする。
【０００５】
【課題を解決するための手段】
本発明によれば上記目的は、
一側に開口する挿入口を備えた袋状に形成される収容ポケットの肌着本体への当接面を挿入口に沿って縫いつけ、前記収容ポケットを肌着本体への縫いつけ部を中心に反転姿勢まで回転自在に固定してなり、
収容ポケットに物品を収容した後、縫いつけ部を中心に回転させて挿入口を閉塞し、物品の脱落を防止し、
かつ、前記収容ポケットの閉塞辺の上端には布製の舌片が縫いつけられて前記当接面の反対面側にスナップが固定されるとともに、前記肌着本体には、前記スナップとの連結解除操作自在な連結により前記縫いつけ部によって肌着本体に固定された収容ポケットを縫いつけ部近傍で折り曲げて挿入口が閉塞された反転姿勢に保持する他のスナップが固定される収容ポケット付下着を提供することにより達成される。
【０００６】
本発明によれば、下着には例えばパスポート等の物品４を入れておく収容ポケット２が設けられているために、下着を着用するだけでパスポート等の携帯を忘れることがなく、かつ、容易に抜き取られたりすることがないために、安全性が向上する。
【０００７】
また、パスポート４等を収容した下着を着用して睡眠すれば、睡眠中の盗難も防止できる。
【０００９】
また、前記収容ポケット２の閉塞辺２ａの上端には布製の舌片７が縫いつけられて前記当接面の反対面側にスナップ８が固定されるとともに、前記肌着本体３には、前記スナップ８との連結解除操作自在な連結により前記縫いつけ部５によって肌着本体３に固定された収容ポケット２を縫いつけ部５近傍で折り曲げて挿入口１が閉塞された反転姿勢に保持する他のスナップ８’が固定される収容ポケット付下着を構成した場合には、誤って収容ポケット２内の物品４を落とす心配もなく、かつ、ファスナ等により挿入口１を閉塞する場合に比してごわごわ感がなく肌触りが向上する。
【００１０】
【発明の実施の形態】
図１に本発明の参考例を示す。この参考例において、収容ポケット付下着は、下着本体３部の表面に収容ポケット２を固定して構成される。下着本体３は、図に示すように、ランニング型等、適宜の形状に形成される。
【００１１】
収容ポケット２は、望ましくは下着本体３を形成する生地を使用して形成される。この実施の形態において、収容ポケット２は、下着本体３の表面に生地片をあてがい、周縁を縫製して形成される。下着本体３の表面に生地片を縫いつけて収容ポケット２を形成すると、着用時の違和感が少なくなる。
【００１２】
パスポート入れとして有効なこの参考例において、収容ポケット２は、パスポート（物品）４の大きさとほぼ同じ大きさに形成され、腹部正面に配置される。この収容ポケット２は、下着本体３に重ねて衣服を着用した際にベルト等により圧迫されパスポート４が折れ曲がることなどを避けるため、着用時腰より上に位置することが望ましい。また、上記挿入口１は、上端において体中心線Ｃに近く、下端に行くに従って漸次体側側に偏位して斜め縦方向に配置される。なお、収容ポケット２の下着本体３に接する側に、挿入口１に沿って適宜の大きさの生地片を蓋として縫いつけてもよい。これは、なにも収納していない場合には収容ポケット２内部に挿入されており、パスポート４収納時にはこの蓋を下着本体３に出すことで、挿入口１を塞ぎ、脱落を防ぐことを目的とする。また、挿入口１の辺縁は生地片を折り返し、縫いつけることによりほころび等が防止される。
【００１３】
また、収納ポケット２は、パスポート４の安定した収納のため、その底辺２ｂを挿入口１の下端１ａに比べ下部に設定してもよい。これにより収納されたパスポート４は、収納ポケット２の底辺２ｂと挿入口１の下端１ａとの段差により、腹部正面方向から体側側方向へ移動しないように配慮される。
【００１４】
この参考例において、収容ポケット２は、体中心線Ｃに対して左右対称位置に２個配置され、収容ポケット２の境界には下着本体３に縫いつけられて境界部６が形成され、例えば左側の挿入口１から挿入したパスポート４が右側の挿入口１から脱落しないように配慮される。なお、収容ポケット２は体中心線Ｃ、あるいはその近傍に１個だけ、もしくは境界部６を除いて１つとして形成してもよい。
【００１５】
図２に本発明の実施の形態を示す。なお、以下の実施の形態の説明において、上述した参考例と同一の構成要素は図中に同一符号を付して説明を省略する。この実施の形態において、収容ポケット２は、一側に挿入口１が開設される袋状に形成される。収容ポケット２の下着本体３に接する面は、挿入口１に沿って下着本体３に縫いつけ部５で縫いつけられる。また、収容ポケット２の閉塞辺２ａの上端には布製の舌片７が縫いつけられ、スナップ８が固定され、下着本体３には、後述するように、収容ポケット２を反転させた際に上記スナップ８等が連結するスナップ８’が固定される。
【００１６】
したがってこの実施の形態において、図２に示す挿入口１が開口した状態でパスポート４を挿入した後、図３に示すように、収容ポケット２を下着本体３への縫いつけ部５を中心にして１８０°回転させて反転させると、挿入口１が閉塞され、以後パスポート４が落下するおそれがない。また、この状態で舌片７のスナップ８を下着本体３側のスナップ８’に連結すると、収容ポケット２がぶらつくことが防止される。
【００１７】
図４に本発明の参考例を示す。この参考例において、収容ポケット２は、パスポート４の底辺４ａの全長に対応する底辺対応辺２ｂと、パスポート４の収容ポケット２への挿入先頭側辺縁４ｂに対応する閉塞辺２ａと、パスポート４の上辺４ｄの一部に対応する上辺対応辺２ｄと、パスポート４の収容ポケット２への挿入後端側辺縁４ｃの一部に対応する後端辺対応辺２ｃとを有する。後端辺対応辺２ｃは底辺対応辺２ｂの一端から上方に延設され、上辺対応辺２ｄは閉塞辺２ａの一端から横方向に延設される。
【００１８】
挿入口１は、上記後端辺対応辺２ｃ、および該後端辺対応辺２ｃと上辺対応辺２ｄとを結ぶ斜辺とからなり、後端辺対応辺２ｃの上端にスナップ８が固定される。
【００１９】
したがってこの参考例において、スナップ８の係止を解除するとパスポート４を横方向にスライドさせて収容ポケット２に収容することができ、その後、スナップ８を止めると、パスポート４は４辺の移動が拘束されるために、開放された斜辺から飛び出すことがない。また、閉塞状態の維持には、スナップ８が使用されているために、例えば、スライドファスナを使用する場合に比して肌触りが悪くなることもない。
【００２０】
なお、この場合、図４（ｂ）に示すように、斜辺を斜め下方に向けて配置すると、上着の裾から手を入れてパスポート４を取り出しやすくなる。
【００２１】
また、図１ないし４においては、パスポート４の収容ポケット２として設定した場合を示したが、大きさは適宜変更でき、他の貴重品を収容できるようにすることも可能である。
【００２２】
【発明の効果】
以上の説明から明らかなように、本発明によれば、パスポート等の貴重品を携帯し忘れることなく、かつ、安全に携帯することができる。
【図面の簡単な説明】
【図１】  本発明の参考例を示す図で、（ａ）は正面図、（ｂ）は収容ポケットの拡大図である。
【図２】  本発明の実施の形態を示す図で、（ａ）は正面図、（ｂ）は（ａ）の２Ａ-２Ａ線断面図である。
【図３】収容ポケットの挿入口を閉塞した状態を示す図で、（ａ）は正面図、（ｂ）は（ａ）の２Ａ-２Ａ線断面図である。
【図４】  本発明の参考例を示す図で、（ａ）は正面図、（ｂ）は（ａ）の変形例を示す図である。
【符号の説明】
１        挿入口
２        収容ポケット
３        肌着本体
４        物品
５        縫いつけ部
【図１】
0004703860.tif 000002
【図２】
0004703860.tif 000003
【図３】
0004703860.tif 000004
【図４】
0004703860.tif 000005